(57)【要約】      （修正有）【課題】ストロー本体のブリックタイプの飲料容器の容器内への落ち込みを防ぎ、また底の深い飲料容器にも使用可能なストロー本体を提供する。【解決手段】蛇腹による屈曲及び伸縮部４をストローの片側の一部分だけでなく、ストロー本体１の両端の部分に飲み口部３ａ，３ｂを有し、その飲み口部３ａ，３ｂ以外の本体部分が蛇腹による屈曲及び伸縮部を形成しているか、ストロー本体１の両端の部分に飲み口部３ａと差し込み部７を有し、その飲み口部３ａと差し込み部７以外の本体部分が、蛇腹による屈曲及び伸縮部を形成しているか、前記蛇腹による屈曲及び伸縮部４をストロー本体１の任意の数カ所に形成しているか、または、蛇腹による屈曲及び伸縮部が、ストロー本体１の片側の飲み口部以外の本体全体部に形成された、もしくは飲み口部分３ａや差し込み部７を含めたストロー本体全体部に形成されたストロー。【選択図】図３
2005230495.tif 000002
【特許請求の範囲】
【請求項１】
ストロー本体の両端の部分に飲み口部を有し、その飲み口部以外の本体部分が蛇腹による屈曲及び伸縮部を形成していることを特徴とするストロー
【請求項２】
ストロー本体の両端の部分に飲み口部と差し込み部を有し、その飲み口部と差し込み部以外の本体部分が、蛇腹による屈曲及び伸縮部を形成していることを特徴とするストロー
【請求項３】
蛇腹による屈曲及び伸縮部が、ストロー本体部分の任意の数カ所に形成された、請求項１及び２に記載のストロー
【請求項４】
蛇腹による屈曲及び伸縮部が、ストロー本体の片側の飲み口部以外の本体全体部に形成された、もしくは飲み口部分や差し込み部を含めたストロー本体全体部に形成されたストロー
【発明の詳細な説明】
【技術分野】
【０００１】  本発明は、飲料を飲むときに使用するストローにおいて、蛇腹による屈曲及び伸縮部をストローの片側の一部分だけでなく、ストロー本体の飲み口部以外の本体部分や、飲み口部分を含めたストロー本体全体に形成することで、使用する飲料容器においてストッパ部を必要とせずに十分に伸びきることにより、使用する飲料容器に埋没することなく容易に吸引でき、また収縮させることにより使用する飲料容器に収納可能なストローに関する。
【背景技術】
【０００２】  現在、多様化されて流通しているジュース、牛乳、ドリンク剤、清涼飲料等の飲料において、様々な場合にストローが使用されている。【０００３】  このうち、例えばスーパーやコンビニエンスストアや自動販売機等で使用されるブリックタイプのジュース、牛乳等の飲料には容器の側面にストローがフィルムシートに包まれて貼付けられて一体的になっている場合が多く、その一体的になっているストローを使用して容器の中の飲料を飲めるようになっている。【０００４】  このブリックタイプの飲料用のストローに関しては、伸縮型の二重管タイプのストローが一般的に知られている。【０００５】  また、特開平８−５２０５６号公開特許公報及び特開平８−５６８０２号公開特許公報には、ストロー本体に凸状のスットパを有するか、または大径の蛇腹をスットパとして形成するという、ストローにスットパを有することまたは形成することが前提として、記載されている。【０００６】  さらに、各種飲料に使用されるストローは、キャップ付きのボトル等の容器、例えばペットボトルのように底の深い容器に入った飲料を飲むときにも使用される。【０００７】  特開２００２−３６２６３４号公開特許公報には、ストローの中間部任意の位置に蛇腹による折り曲げ部を有するストローの挿入端に、この挿入端が挿入できる屈折する収縮チューブの円筒管の一端側を、ストロー挿入端に取り付け、熱でこの円筒管を収縮させ固定し、ストローをペットボトルに入れたままで、飲むときはキャップを開ければストローの吸い口が飛び出し、閉めるときはキャップでストローを押し込み収納できる屈曲ストローとある。
【発明の開示】
【発明が解決しようとする課題】
【０００８】  しかしながら、ブリックタイプの飲料用のストローに関しては一般的に知られている、伸縮型の二重管タイプのストローは、十分に伸びきらず容器の底にとどかなかったり、飲んでいる時に縮小したりすることもあった。【０００９】  また、特開平８−５２０５６号公開特許公報及び特開平８−５６８０２号公開特許公報に記載の発明は、ストロー本体に凸状のスットパを有するか、または大径の蛇腹をスットパとして形成するという、ストローにスットパを有することまたは形成することが前提としてあり、ブリックタイプの飲料用の容器にストローが容器内部に脱落して使用できなくなることを防止することが必要条件になっている。【００１０】  さらに、特開２００２−３６２６３４号公開特許公報の、ストローの中間部任意の位置に蛇腹による折り曲げ部を有するストローの挿入端に、この挿入端が挿入できる屈折する収縮チューブの円筒管の一端側を、ストロー挿入端に取り付け、熱でこの円筒管を収縮させ固定させるストローにおいては、ペットボトルに使用するためだけには使用用途がせまく、また、コスト的にも問題がある。
【課題を解決するための手段】
【００１１】  本発明は、上記の課題を解決するもので、伸縮型の二重管タイプのストローを使用せずに、ストレートタイプのストローを生かして、ブリックタイプの飲料容器やペットボトル等の底の深い飲料容器にも応用できるように、ストロー本体の両端の部分に飲み口部を有し、その飲み口部以外の本体部分が蛇腹による屈曲及び伸縮部を形成しているか、ストロー本体の両端の部分に飲み口部と差し込み部を有し、その飲み口部と差し込み部以外の本体部分が、蛇腹による屈曲及び伸縮部を形成しているか、または、蛇腹による屈曲及び伸縮部が、ストロー本体の片側の飲み口部以外全部に形成された、もしくは飲み口部や差し込み部を含めたストロー本体全体部に形成されたストローであり、収縮された状態のストローが必要とされる飲料容器に対して十分に伸びきるために、ブリックタイプの飲料用の容器においてはストロー本体にストッパを必要としない屈曲自在及び伸縮自在のストローであり、またキャップ付きのボトル等の容器には収縮させることにより収納可能な屈曲自在及び伸縮自在のストローの提供を主旨とする。
【発明の効果】
【００１２】  以上本発明に係るストローは、伸縮型の二重管タイプのストローを使用せずに、ストレートタイプのストローを生かして、ブリックタイプの飲料容器にストロー本体にストッパを必要とせずに収縮した短い状態コンパクトに使用することや、ペットボトル等の底の深い飲料容器にも応用できるように、ストロー本体の両端の部分に飲み口部を有し、その飲み口部以外の本体部分が蛇腹による屈曲及び伸縮部を形成しているか、ストロー本体の両端の部分に飲み口部と差し込み部を有し、その飲み口部と差し込み部以外の本体部分が、蛇腹による屈曲及び伸縮部を形成しているか、または、蛇腹による屈曲及び伸縮部が、ストロー本体の片側の飲み口部以外の本体全部に形成された、もしくは飲み口部や差し込み部を含めたストロー本体全体部に形成されたストローである。【００１３】  それにより、ストロー本体の飲み口部以外、または飲み口部や差し込み部を含めたストロー本体全体に形成された蛇腹による屈曲及び伸縮部が十分に伸びきることにより、ストロー自体の長さを蛇腹の収縮時に比較して約２倍位に長く伸ばすことが可能になり、ブリックタイプの飲料容器においては、ストローが容器内部に脱落して使用できなくなることを防止するストッパを必要とせずに使用できる。【００１４】  また、キャップ付きのボトル等の容器には、前記蛇腹による屈曲及び伸縮部が十分に伸びた状態の蛇腹を、収縮及び屈強させることにより飲料容器に収納可能になり、さらに、飲み口部を上向きの状態で収納可能になるので、次回に使用する時に取り出し易くなる。【００１５】  さらに、上記蛇腹による屈曲及び伸縮部が十分に伸びきり自在に屈曲することにより、子供や老人、身体障害者や、ベッド等を使用している病人にとっても飲料を各種飲料容器から飲み易くなるという効果がある。【００１６】  その上飲料を飲む時に、前記ストロー本体に備えられた伸縮自在の蛇腹による屈曲及び伸縮部により、例えば一回転させて輪を作ることが可能な場合もあり、前記ストローは屈曲自在の機能と伸縮自在の機能で変化自在になり、飲料を飲む時に娯楽性を付加して飲むこともできる。
【発明を実施するための最良の形態】
【００１７】  以下、本発明の実施形態について図面を参照して説明する。【００１８】  なお、図２以下と同一態様部分は同一符号を用いて説明するものとする。【００１９】図１は、従来の一般的な蛇腹による屈曲部２を備えたストロー本体１であり、飲み口部分３ａの近くの一ケ所だけに折り曲げ自在に使用する目的のためだけに前記屈曲部２があった。【００２０】  図２から図８は、蛇腹による屈曲及び伸縮部４をストロー本体１に形成した屈曲及び伸縮ストローにおいて、ストロー本体１の両端の部分に飲み口部３ａ，３ｂを有し、その飲み口部３ａ，３ｂ以外の本体部分が蛇腹による屈曲及び伸縮部を形成しているか、ストロー本体１の両端の部分に飲み口部３ａと差し込み部７を有し、その飲み口部３ａと差し込み部７以外の本体部分が、蛇腹による屈曲及び伸縮部を形成しているか、前記蛇腹による屈曲及び伸縮部４をストロー本体１の任意の数カ所に形成しているか、または、蛇腹による屈曲及び伸縮部が、ストロー本体１の片側の飲み口部以外の本体全体部に形成された、もしくは飲み口部分３ａや差し込み部７を含めたストロー本体全体部に形成された屈曲及び伸縮ストローの実施形態例である。【００２１】  飲料を飲むときに使用するストローにおいて、蛇腹による屈曲及び伸縮部４をストローの片側の一部分だけでなく、ストロー本体１の両端の部分に飲み口部３ａ，３ｂを有し、その飲み口部３ａ，３ｂ以外の本体部分が蛇腹による屈曲及び伸縮部を形成しているか、ストロー本体１の両端の部分に飲み口部３ａと差し込み部７を有し、その飲み口部３ａと差し込み部７以外の本体部分が、蛇腹による屈曲及び伸縮部を形成しているか、前記蛇腹による屈曲及び伸縮部４をストロー本体１の任意の数カ所に形成しているか、または、蛇腹による屈曲及び伸縮部が、ストロー本体１の片側の飲み口部以外の本体全体部に形成された、もしくは飲み口部分３ａや差し込み部７を含めたストロー本体全体部に形成された屈曲及び伸縮ストローは、ストロー本体１を伸縮させることを目的とする、伸縮自在の機能を有することにより、屈曲自在だけでなく蛇腹部分を引き伸ばすことでストロー本体１自体が長くなることにより、飲料容器からの吸引を容易にすることができる。【００２２】  なお、本発明の説明において蛇腹による屈曲及び伸縮部４は、各蛇腹は伸長する状態では、各々約２倍から２．５倍程度に全長を伸長させることが出来るように山部が谷部にめり込んでいるように形成され、伸長時には谷部が均一に伸長するように形成加工されていることとするが、特に限定されるわけではない。使用用途により、また形成されるストローによって各々の蛇腹の伸長する長さ、及び、ストロー本体１に対する蛇腹による屈曲及び伸縮部４自体の占める割合によってストロー本体１の伸長する長さは変化する。また、ストロー本体１に使用する素材として合成樹脂が多く用いられるが、本発明の機能をはたす材料ならば特に限定されるものではない。【００２３】  図９、図１０に示す実施例において、図１０のストロー本体１は図９のストロー本体１の伸長の状態の態様である。【００２４】  図９に示す実施例は、ブリックタイプの飲料容器Ａにおいて、側壁に貼付け用包装フィルムＣを介して前記ブ���ックタイプの飲料容器Ａに一体的に装着されている、本発明における図３の実施例の屈曲及び伸縮ストローである。図１０は、前記屈曲及び伸縮ストローの使用している状態の説明図であり、ブリックタイプの飲料容器Ａに蛇腹による屈曲及び伸縮部４を十分に伸長させることにより、容器の中にストローが落ち込むことを防止するためのストッパを必要とせずとも、十分にストロー本体１が伸長することにより、なかの飲料が飲み易くなる。【００２５】  また、図１１、図１２に示す実施例において、図１２のストロー本体１は図１１のストロー本体１の伸長の状態の態様である。【００２６】  図１２に示す実施例は、ペットボトル等の飲料容器６において、本発明における図２の実施例の屈曲及び伸縮ストローである。図１２は、前記屈曲及び伸縮ストローの使用している状態の説明図であり、ペットボトル等の飲料容器６に蛇腹による屈曲及び伸縮部４を十分に伸長させることにより、底の深いペットボトル等の飲料用容器６にも使用可能である蛇腹による屈曲及び伸縮部４をストロー本体１に備えた屈曲自在及び伸縮自在のストローになる。【００２７】  また、図１３に示すように前記蛇腹部分の屈曲及び伸縮部４を引き伸ばしてストロー本体１自体を長くしてペットボトル等の飲容器６に使用したあと、逆に蛇腹部分を収縮させてストロー本体１を短くしたり屈曲させたりして、ペットボトル等の容器６の中でストローの飲み口３ａを上にしたまま屈曲及び伸縮ストローを容器６の中に入れたまま、キャップを閉める事が出来る。【００２８】  さらには飲料を飲む時に、前記ストロー本体１に備えられた伸縮自在の蛇腹による屈曲及び伸縮部４により、例えば一回転させて輪を作ることが可能な場合もあり、前記ストローは屈曲自在の機能と伸縮自在の機能で変化自在になり、飲料を飲む時に娯楽性を付加して飲むこともできる。【００２９】  前記娯楽性をも付加することもさることながら、本発明の屈曲及び伸縮ストローはストロー本体１が約２倍位に伸長し、また、その長さで自在に屈曲するという利点を有するため、子供や老人、身体障害者や、ベッド等を使用している病人にとっても飲料を各種飲料容器から飲み易くすることが出来るというメリットがある。
【図面の簡単な説明】
【００１８】
【図１】    従来の屈曲部を備えたストローの側面図である。
【図２】    本発明の実施例の概略側面図である。
【図３】    本発明の実施例の概略側面図である。
【図４】    本発明の実施例の概略側面図である。
【図５】    本発明の実施例の概略側面図である。
【図６】    本発明の実施例の概略側面図である。
【図７】    本発明の実施例の概略側面図である。
【図８】    本発明の実施例の概略側面図である。
【図９】    ブリックタイプの容器にストローを取付けた、本発明の概略斜視図である。
【図１０】    ブリックタイプの容器にストローを差し込んだ、本発明の実施使用例の透視斜視図である。
【図１１】    本発明の実施例の未使用図である。
【図１２】    本発明の実施例の使用図である。
【図１３】    本発明の実施例の使用図である。
【符号の説明】
【００１９】    １            ストロー本体
２            屈曲部
３ａ，３ｂ    飲み口部
４            収縮時の屈曲及び伸縮部
５            伸長時の屈曲及び伸縮部
６            ペットボトル等の飲料容器
７            差し込み部
Ａ            ブリックタイプの飲料容器
Ｂ            差し込み穴部
Ｃ            貼付け用包装フィルム
【図１】
2005230495.tif 000003
【図２】
2005230495.tif 000004
【図３】
2005230495.tif 000005
【図４】
2005230495.tif 000006
【図５】
2005230495.tif 000007
【図６】
2005230495.tif 000008
【図７】
2005230495.tif 000009
【図８】
2005230495.tif 000010
【図９】
2005230495.tif 000011
【図１０】
2005230495.tif 000012
【図１１】
2005230495.tif 000013
【図１２】
2005230495.tif 000014
【図１３】
2005230495.tif 000015